(57)【要約】【課題】反射シートの撓みを十分に抑制することによって表示部における輝度むらの発生をより抑制することが可能であるとともに、表示部の縁部近傍における輝線の発生を抑制することが可能な表示装置を提供する。【解決手段】このテレビジョン装置（表示装置）１００は、ＬＥＤ６１と、液晶セル１１と、反射シート５と、リアフレーム７とを備える。反射シート５は、内側の第１傾斜部５２および外側の第２傾斜部５３を含み、前方から後方に向けて先細り形状に形成されている。第１傾斜部５２と第２傾斜部５３とは、前方に向く山折り状の折り目５５により接続されている。反射シート５は、ＬＥＤ６１側から立ち上がる第１傾斜部５２の角度αが、ＬＥＤ６１側から立ち上がる第２傾斜部５３の角度βよりも大きくなるように構成されている。【選択図】図３
2015191761.tif 000002
【特許請求の範囲】
【請求項１】
光源と、
表示部と、
前記光源からの光を前記表示部側の前方に反射する反射シートと、
前記反射シートに対して後方に配置され、前記光源と前記反射シートとを収容するリアフレームとを備え、
前記反射シートは、前記光源側である内側の第１傾斜部および前記第１傾斜部の外側の第２傾斜部を少なくとも含み、前記第１傾斜部および前記第２傾斜部により前方から後方に向けて先細りする形状に形成され、
前記第１傾斜部と前記第２傾斜部とは、それぞれの傾斜方向と直交する方向に延びるとともに、前方に向く山折り状の折り目により接続され、
前記反射シートは、前記光源側から立ち上がる前記第１傾斜部の角度が、前記光源側から立ち上がる前記第２傾斜部の角度よりも大きくなるように構成されている、表示装置。
【請求項２】
前記反射シートは、前記第１傾斜部の傾斜方向における長さが前記第２傾斜部の傾斜方向における長さよりも小さくなるように構成されている、請求項１に記載の表示装置。
【請求項３】
前記光源および前記反射シートの前方に配置される光学シートをさらに備え、
前記折り目は、前後方向において、前記光学シートよりも前記光源に近い側に配置されている、請求項１または２に記載の表示装置。
【請求項４】
前記反射シート、前記第１傾斜部および前記第２傾斜部の長手方向は、前記表示部の長手方向と同一方向であり、
前記第１傾斜部と前記第２傾斜部との境界における前記折り目は、前記表示部の長手方向に沿って延びるように形成されている、請求項１〜３のいずれか１項に記載の表示装置。
【請求項５】
前記第１傾斜部と前記第２傾斜部とは、共に平坦面状に形成されている、請求項１〜４のいずれか１項に記載の表示装置。
【請求項６】
前記リアフレームは、前後方向から見て矩形状に形成されるとともに、前記反射シートの前記第１傾斜部および前記第２傾斜部が近傍に配置される第１縁部と、前記第１縁部に隣接する第２縁部とを含み、
前記反射シートは、前記第２縁部の近傍に配置される第３傾斜部を含み、前記第１傾斜部および前記第３傾斜部の境界線と、前記第２傾斜部および前記第３傾斜部の境界線とのうち、長くなる一方の境界線上において前記第３傾斜部と前記第１傾斜部および前記第２傾斜部のうちの一方とが接続され、短くなる他方の境界線上において前記第３傾斜部と前記第１傾斜部および前記第２傾斜部のうちの他方とが接続されないように構成されている、請求項５に記載の表示装置。
【請求項７】
前記第２傾斜部は、平坦面状に形成され、
前記第１傾斜部は、前方に凸状で、かつ、前記第１傾斜部の傾斜方向に沿って湾曲する湾曲形状に形成されている、請求項１〜４のいずれか１項に記載の表示装置。
【請求項８】
前記第２傾斜部は、平坦面状に形成され、
前記第１傾斜部は、後方に凸状で、かつ、前記第１傾斜部の傾斜方向に沿って湾曲する湾曲形状に形成されている、請求項１〜４のいずれか１項に記載の表示装置。
【発明の詳細な説明】
【技術分野】
【０００１】
この発明は、表示装置に関し、特に、反射シートを備える表示装置に関する。
【背景技術】
【０００２】
従来、反射シートを備える表示装置が知られている（たとえば、特許文献１参照）。
【０００３】
上記特許文献１には、光源と、表示部と、光源からの光を反射する反射シートと、反射シートに対して後方に配置されるリアフレームとを備えた表示装置が開示されている。反射シートは、傾斜方向に沿って前方（光出射側）に小さい突出量で突出する平坦に近い凸状の湾曲形状に形成される傾斜部を含んでいる。反射シートは、この湾曲形状の傾斜部により、前方に凸状の状態から後方に凸状の状態となる撓み変形が抑制されている。
【先行技術文献】
【特許文献】
【０００４】
【特許文献１】ＷＯ２０１１／０７４３６６号公報
【発明の概要】
【発明が解決しようとする課題】
【０００５】
しかしながら、上記特許文献１では、製造誤差や熱膨張などにより、反射シートがリアフレームの縁部の延びる方向において、所定の大きさよりも大きく形成された場合や熱膨張した場合などには、反射シートのリアフレームへの取り付け時などに撓み変形を十分に抑制しきれずに、湾曲形状の傾斜部に撓みが生じてしまうという不都合があると考えられる。すなわち、上記特許文献１では、反射シートの傾斜部における撓み変形を十分に抑制することが困難であると考えられ、その結果、表示部における輝度むらが生じるという問題点がある。また、上記特許文献１では、光源側からリアフレームの縁部に向けて連続して延びるとともに小さい突出量で突出する平坦に近い凸状の湾曲形状の傾斜部が設けられているため、リアフレームの縁部近傍において表示部側に届く光量が多く、表示部の縁部近傍において輝線が生じ易いという問題点がある。
【０００６】
この発明は、上記のような課題を解決するためになされたものであり、この発明の１つの目的は、反射シートの撓みを十分に抑制することによって表示部における輝度むらの発生をより抑制することが可能であるとともに、表示部の縁部近傍における輝線の発生を抑制することが可能な表示装置を提供することである。
【課題を解決するための手段】
【０００７】
この発明の一の局面による表示装置は、光源と、表示部と、光源からの光を表示部側の前方に反射する反射シートと、反射シートに対して後方に配置され、光源と反射シートとを収容するリアフレームとを備え、反射シートは、光源側である内側の第１傾斜部および第１傾斜部の外側の第２傾斜部を少なくとも含み、第１傾斜部および第２傾斜部により前方から後方に向けて先細りする形状に形成され、第１傾斜部と第２傾斜部とは、それぞれの傾斜方向と直交する方向に延びるとともに、前方に向く山折り状の折り目により接続され、反射シートは、光源側から立ち上がる第１傾斜部の角度が、光源側から立ち上がる第２傾斜部の角度よりも大きくなるように構成されている。
【０００８】
この発明の一の局面による表示装置では、上記のように、反射シートの第１傾斜部と第２傾斜部とを、それぞれの傾斜方向と直交する方向に延びる折り目により接続することによって、折り目により反射シートが折り目の延びる方向に直交する方向に撓み（曲がり）難くなるので、反射シートの傾斜部における変形を十分に抑制することできる。その結果、表示部における輝度むらの発生をより抑制することができる。また、反射シートを、光源側から立ち上がる第１傾斜部の角度が、光源側から立ち上がる第２傾斜部の角度よりも大きくなるように構成することによって、第１傾斜部が折り目を介して第２傾斜部よりも大きな（急な）角度で立ち上がるので、第１傾斜部を第２傾斜部と同じ角度とした全体として平坦な場合または全体として平坦に近い湾曲形状の場合よりも、リアフレームの縁部近傍において表示部側に届く光量を減少させることができる。その結果、表示部の縁部近傍における輝線の発生を抑制することできる。
【０００９】
上記一の局面による表示装置において、好ましくは、反射シートは、第１傾斜部の傾斜方向における長さが第２傾斜部の傾斜方向における長さよりも小さくなるように構成されている。このように構成すれば、第１傾斜部と表示部の縁部との間の距離を大きくすることができるので、第１傾斜部において反射された光が表示部の縁部近傍に達し難くなる。その結果、表示部の縁部近傍における輝線の発生をより抑制することができる。
【００１０】
上記一の局面による表示装置において、好ましくは、光源および反射シートの前方に配置される光学シートをさらに備え、折り目は、前後方向において、光学シートよりも光源に近い側に配置されている。このように構成すれば、第１傾斜部と光学シートとの間の前後方向の距離を小さくすることができるので、第１傾斜部において反射された光が光学シート（表示部）の縁部近傍に達し難くなる。その結果、表示部の縁部近傍における輝線の発生をより抑制することができる。
【００１１】
上記一の局面による表示装置において、好ましくは、反射シート、第１傾斜部および第２傾斜部の長手方向は、表示部の長手方向と同一方向であり、第１傾斜部と第２傾斜部との境界における折り目は、表示部の長手方向に沿って延びるように形成されている。このように構成すれば、熱膨張などの影響により撓み変形が特に生じやすい長手方向における第１傾斜部および第２傾斜部の剛性を高めることができるので、第１傾斜部および第２傾斜部の撓み変形を一層抑制することできる。
【００１２】
上記一の局面による表示装置において、好ましくは、第１傾斜部と第２傾斜部とは、共に平坦面状に形成されている。このように構成すれば、第１傾斜部が平坦面状に形成されるので、光源に対する第１傾斜部の立ち上がり角度や位置の変更により光の反射方向および量を容易に調整（設計段階で制御）することができる。
【００１３】
この場合、好ましくは、リアフレームは、前後方向から見て矩形状に形成されるとともに、反射シートの第１傾斜部および第２傾斜部が近傍に配置される第１縁部と、第１縁部に隣接する第２縁部とを含み、反射シートは、第２縁部の近傍に配置される第３傾斜部を含み、第１傾斜部および第３傾斜部の境界線と、第２傾斜部および第３傾斜部の境界線とのうち、長くなる一方の境界線上において第３傾斜部と第１傾斜部および第２傾斜部のうちの一方とが接続され、短くなる他方の境界線上において第３傾斜部と第１傾斜部および第２傾斜部のうちの他方とが接続されないように構成されている。このように構成すれば、第１傾斜部および第２傾斜部のうちの第３傾斜部との境界線の長い方を第３傾斜部と接続することができるので、より広い範囲（長い距離）で第３傾斜部と第１傾斜部および第２傾斜部のうちの一方とを接続することができる。その結果、反射シートに撓みが生じるのを効果的に抑制することができる。
【００１４】
上記一の局面による表示装置において、好ましくは、第２傾斜部は、平坦面状に形成され、第１傾斜部は、前方に凸状で、かつ、第１傾斜部の傾斜方向に沿って湾曲する湾曲形状に形成されている。このように構成すれば、光源の近傍の第１傾斜面が凸状かつ湾曲形状となるので、第１傾斜部で反射した光を拡散させつつ、表示部の端部近傍には光を届き難くすることができる。これにより、表示部の輝度むらを抑制することができるとともに、表示部の縁部近傍における輝線の発生を抑制することができる。
【００１５】
上記一の局面による表示装置において、好ましくは、第２傾斜部は、平坦面状に形成され、第１傾斜部は、後方に凸状で、かつ、第１傾斜部の傾斜方向に沿って湾曲する湾曲形状に形成されている。このように構成すれば、光源の近傍の第１傾斜面が凹状かつ湾曲形状となるので、第１傾斜部で反射した光を拡散させつつ、表示部の端部近傍には光を届き難くすることができる。これにより、表示部の輝度むらを抑制することができるとともに、表示部の縁部近傍における輝線の発生を抑制することができる。
【発明の効果】
【００１６】
本発明によれば、上記のように、反射シートの撓みを十分に抑制することによって表示部における輝度むらの発生をより抑制することが可能であるとともに、表示部の縁部近傍における輝線の発生を抑制することが可能な表示装置を提供することができる。
【図面の簡単な説明】
【００１７】
【図１】本発明の第１〜第３実施形態によるテレビジョン装置を前方から見た全体斜視図である。
【図２】本発明の第１実施形態によるテレビジョン装置を後方から見た分解斜視図である。
【図３】本発明の第１実施形態によるテレビジョン装置の反射シート、光源部およびリアフレームを示した斜視図である。
【図４】図３の５００−５００線に沿った模式的な断面図である。
【図５】本発明の第１実施形態によるテレビジョン装置の反射シートを示した斜視図である。
【図６】本発明の第２実施形態によるテレビジョン装置の反射シートの一部を示した模式的な断面図である。
【図７】本発明の第３実施形態によるテレビジョン装置の反射シートの一部を示した模式的な断面図である。
【発明を実施するための形態】
【００１８】
以下、本発明の実施形態を図面に基づいて説明する。
【００１９】
（第１実施形態）
図１〜図５を参照して、本発明の第１実施形態によるテレビジョン装置１００の構成について説明する。なお、テレビジョン装置１００は、本発明の「表示装置」の一例である。
【００２０】
本発明の第１実施形態によるテレビジョン装置１００は、図１に示すように、表示モジュール１と、表示モジュール１を収容するフロントキャビネット２（前側筐体）およびリアキャビネット３（後側筐体）とを備えている。
【００２１】
図２に示すように、表示モジュール１は、前面に表示面１１ａを有する液晶セル１１と、液晶セル１１を保持するモールドフレーム１２と、各種の光学シート１３と、反射シート５と、光源部６と、リアフレーム７とを含んでいる。フロントキャビネット２は、表示モジュール１の周縁部を前面側から覆うように設けられ、リアフレーム７に固定されている。また、リアキャビネット３（図１参照）は、表示モジュール１（リアフレーム７）の背面側を覆うように設けられ、リアフレーム７に固定されている。液晶セル１１は、本発明の「表示部」の一例である。なお、図２ではリアキャビネット３の図示を省略している。以下では、テレビジョン装置１００の表示面１１ａ側を前方（Ｙ１方向）とし、前方の逆方向を後方（Ｙ２方向）として説明し、この前方および後方に沿う方向を前後方向（Ｙ方向）とする。また、前後方向（Ｙ方向）および上下方向（Ｚ方向）に直交する方向を横方向（Ｘ方向）とする。
【００２２】
表示モジュール１の液晶セル１１は、モールドフレーム１２の前面側に保持されている。モールドフレーム１２は、樹脂製の枠状部材であり、液晶セル１１の他、背面側に光学シート１３を保持する。モールドフレーム１２は、フロントキャビネット２の内側に配置される。光学シート１３は、拡散板やその他の機能性シートなどであり、複数設けられている。
【００２３】
図３に示すように、リアフレーム７は、板金製であり、反射シート５に対して後方（Ｙ２方向）に配置され、凹状形状を有して内側に光源部６（後述するＬＥＤ６１）と反射シート５とを収容するように構成されている。また、リアフレーム７は、表示モジュール１（図２参照）を後方（Ｙ２方向）から覆うように形成されている。
【００２４】
また、図２に示すように、リアフレーム７は、前方側に配置される矩形状の縁部７１と、縁部７１の各辺に接続されて後方（Ｙ２方向）に傾斜して延びる４つの側板部７２と、後方側で４つの側板部７２に接続される矩形状の底板部７３とを含んでいる。この縁部７１により、リアフレーム７は、前後方向（Ｙ方向）から見て矩形状となるように形成されている。また、図４に示すように、リアフレーム７には、縁部７１の前面側に反射シート５が当接状態で配置されている。また、リアフレーム７には、縁部７１の前方側に反射シート５を介して光学シート１３が配置されている。
【００２５】
また、図３に示すように、リアフレーム７の縁部７１は、下方（Ｚ２方向）の下側縁部７１ａと、下側縁部７１ａに隣接する横方向（Ｘ１方向およびＸ２方向）の一対の横側縁部７１ｂと、横側縁部７１ｂに隣接する上方（Ｚ１方向）の上側縁部７１ｃとから構成されている。また、底板部７３には、光源部６が前面側に取り付け固定されている。また、底板部７３には、フロントキャビネット２（図１参照）およびリアキャビネット３（図１参照）や、チューナ部（図示せず）を含む回路基板（図示せず）などが背面側に取り付け固定される。なお、下側縁部７１ａは、本発明の「第１縁部」の一例である。また、横側縁部７１ｃは、本発明の「第２縁部」の一例である。
【００２６】
光源部６は、複数のＬＥＤ６１と、複数のＬＥＤ６１が取り付けられるＬＥＤ基板６２（図２参照）とを含んでいる。具体的には、ＬＥＤ基板６２は、横方向（Ｘ方向）に延びる平板形状を有している。また、ＬＥＤ基板６２は、前面側に、複数のＬＥＤ６１が横方向（Ｘ方向）に１列に並ぶように実装される実装面６２ａを有している。テレビジョン装置１００（図１参照）は、光源部６が液晶セル１１（図２参照）の背面側に配置された、いわゆる直下型照明タイプの液晶テレビジョン装置である。なお、ＬＥＤ６１は、本発明の「光源」の一例である。
【００２７】
図５に示すように、反射シート５は、１枚のシート材料から形成されている。そして、反射シート５は、切り込みや曲げなどにより、リアフレーム７に取り付けられる所定形状に形作られている（フォーミングされている）。
【００２８】
また、図４に示すように、反射シート５は、光学シート１３の背面側に配置され、光源部６（ＬＥＤ６１）からの光を液晶セル１１側の前方（Ｙ１方向）に反射させるように構成されている。また、反射シート５は、リアフレーム７の縁部７１および光学シート１３の間に配置されている。また、反射シート５は、リアフレーム７の底板部７３に対して平行に配置される底部５１と、底部５１に対して傾斜した第１傾斜部５２および第２傾斜部５３と、第３傾斜部５４（図３参照）とを含んでいる。第１傾斜部５２および第２傾斜部５３は、リアフレーム７の下側縁部７１ａの近傍（下側縁部７１ａ側）に配置されている。また、第３傾斜部は、リアフレーム７の一対の横側縁部７１ｂの近傍（横側縁部７１ｂ側）にそれぞれ配置されている。
【００２９】
また、反射シート５は、リアフレーム７に収納された状態（取付状態）で、第１傾斜部５２および第２傾斜部５３により、前方（光学シート１３側）から後方（底部５１側）に向けて先細りする形状に形成されている。
【００３０】
図５に示すように、反射シート５の底部５１は、矩形状に形成されている。また、底部５１は、ＬＥＤ基板６２（図４参照）に実装された複数のＬＥＤ６１（図４参照）に対応する位置にそれぞれ開口５１ａを有している。そして、図４に示すように、反射シート５は、背面側にＬＥＤ基板６２が配置され、底部５１の開口５１ａを通過して前面側に個々のＬＥＤ６１が配置されるように構成されている。
【００３１】
反射シート５の第１傾斜部５２は、ＬＥＤ６１の下方（Ｚ２方向）に配置されている。また、第１傾斜部５２は、第２傾斜部５３に対してＬＥＤ６１側である内側（底部５１側、Ｚ１方向側）に配置されている。また、第１傾斜部５２は、平坦面状に形成されている。また、第１傾斜部５２は、底部５１の下方端に接続され、図４に示すように、下方端から角度α（底部５１となす角度）で前方（Ｙ１方向）に立ち上がるように構成されている。すなわち、第１傾斜部５２は、底部５１の下方端から下方（Ｚ２方向）に向かうにつれて、前方（Ｙ１方向）に向かって傾斜するように構成されている。また、第１傾斜部５２は、底部５１に対して傾斜する傾斜方向（Ａ方向）と直交する横方向（Ｘ方向）に延びるように形成されている。
【００３２】
反射シート５の第２傾斜部５３は、ＬＥＤ６１の下方（Ｚ２方向）に配置されている。また、第２傾斜部５３は、第１傾斜部５２に対して外側（下側縁部７１ａ側、Ｚ２方向側）に配置されている。また、第１傾斜部５２は、平坦面状に形成されている。また、第２傾斜部５３は、第１傾斜部５２の下方端に接続され、下方端から角度β（底部５１となす角度）で前方（Ｙ１方向）に立ち上がるように構成されている。すなわち、第２傾斜部５３は、第１傾斜部５２の下方端から前方（Ｙ１方向）に向かうにつれて、下方（Ｚ２方向）に移行するように構成されている。また、第２傾斜部５３は、底部５１に対して傾斜する傾斜方向（Ｂ方向）と直交する横方向（Ｘ方向）に延びるように形成されている。
【００３３】
また、反射シート５は、ＬＥＤ６１側（底部５１側）から立ち上がる第１傾斜部５２の角度αが、ＬＥＤ６１側（底部５１側）から立ち上がる第２傾斜部５３の角度βよりも大きくなるように構成されている。たとえば、角度αは、３０度に設定され、角度βは、２０度に設定される。なお、角度αは、ＬＥＤ６１からの光について、光学シート１３に直交する方向への光が少なくなるように所定の角度範囲に設定される。
【００３４】
また、図３に示すように、反射シート５は、側面視において（Ｘ方向から見て）、第１傾斜部５２の傾斜方向（Ａ方向）における長さＬ１が、第２傾斜部５３の傾斜方向（Ｂ方向）における長さＬ２よりも小さくなるように構成されている。
【００３５】
第１傾斜部５２と第２傾斜部５３とは、前方（Ｙ１方向）に向く山折り状の折り目５５により接続されている。すなわち、第１傾斜部５２と第２傾斜部５３との境界には折り目５５が形成されている。また、折り目５５は、液晶セル１１の長手方向（Ｘ方向）に延びるように形成されている。なお、反射シート５、第１傾斜部５２および第２傾斜部５３の長手方向（Ｘ方向）は、液晶セル１１の長手方向（Ｘ方向）と同一方向である。
【００３６】
また、折り目５５は、前後方向（Ｙ方向）において、光学シート１３よりもＬＥＤ６１に近い側に配置されている。すなわち、折り目５５は、側面視において（Ｘ方向から見て）ＬＥＤ６１と光学シート１３との中間位置（図４において１点鎖線で示す位置）よりもＬＥＤ６１に近い側に配置されている。
【００３７】
また、反射シート５は、第３傾斜部５４と第２傾斜部５３との境界線５４ａ（長さＬ３）が、第３傾斜部５４と第１傾斜部５２との境界線５４ｂ（長さＬ４）よりも長くなるように構成されている。また、反射シート５は、長くなる境界線５４ａ上（第３傾斜部５４と第２傾斜部５３との長さＬ３の境界線５４ａ上）では、第３傾斜部５４と第２傾斜部５３とが接続されるように構成されている。また、反射シート５は、短くなる境界線５４ｂ上（第３傾斜部５４と第１傾斜部５２との長さＬ４の境界線５４ｂ上）では、第３傾斜部５４と第１傾斜部５２とが接続されないように構成されている。
【００３８】
第１実施形態では、以下のような効果を得ることができる。
【００３９】
第１実施形態では、上記のように、反射シート５の第１傾斜部５２と第２傾斜部５３とを、それぞれの傾斜方向と直交する方向に延びる折り目により接続することによって、折り目５５により反射シート５が折り目５５の延びる方向に直交する方向に撓み（曲がり）難くなるので、反射シート５の傾斜部における変形を十分に抑制することできる。その結果、液晶セル１１における輝度むらの発生をより抑制することができる。また、反射シート５を、ＬＥＤ６１側から立ち上がる第１傾斜部５２の角度αが、ＬＥＤ６１側から立ち上がる第２傾斜部５３の角度βよりも大きくなるように構成することによって、第１傾斜部５２が折り目５５を介して第２傾斜部５３よりも大きな（急な）角度αで立ち上がるので、第１傾斜部５２を第２傾斜部５３と同じ角度とした全体として平坦な場合または全体として平坦に近い湾曲形状の場合よりも、リアフレーム７の縁部７１近傍において液晶セル１１側に届く光量を減少させることができる。その結果、液晶セル１１の縁部近傍における輝線の発生を抑制することできる。
【００４０】
また、第１実施形態では、上記のように、反射シート５を、第１傾斜部５２の傾斜方向（Ａ方向）における長さＬ１が第２傾斜部５３の傾斜方向（Ｂ方向）における長さＬ２よりも小さくなるように構成する。これにより、第１傾斜部５２と液晶セル１１の縁部との間の距離を大きくすることができるので、第１傾斜部５２において反射された光が液晶セル１１の縁部近傍に達し難くなる。その結果、液晶セル１１の縁部近傍における輝線の発生をより抑制することができる。
【００４１】
また、第１実施形態では、上記のように、ＬＥＤ６１および反射シート５の前方に配置される光学シート１３を設け、折り目５５を、前後方向において、光学シート１３よりもＬＥＤ６１に近い側に配置する。これにより、第１傾斜部５２と光学シート１３との間の前後方向の距離を大きくすることができるので、第１傾斜部５２において反射された光が光学シート１３（液晶セル１１）の縁部近傍に達し難くる。その結果、液晶セル１１の縁部近傍における輝線の発生をより抑制することができる。
【００４２】
また、第１実施形態では、上記のように、反射シート、第１傾斜部および第２傾斜部の長手方向を表示部の長手方向と同一方向とし、第１傾斜部５２と第２傾斜部５３との境界における折り目５５を、液晶セル１１の長手方向に沿って延びるように形成する。これにより、熱膨張などの影響により撓み変形が特に生じやすい長手方向における第１傾斜部５２および第２傾斜部５３の剛性を高めることができるので、第１傾斜部５２および第２傾斜部５３の撓み変形を一層抑制することできる。
【００４３】
また、第１実施形態では、上記のように、第１傾斜部５２と第２傾斜部５３とを、共に平坦面状に形成する。これにより、第１傾斜部５２が平坦面状に形成されるので、ＬＥＤ６１に対する第１傾斜部５２の立ち上がり角度αや位置の変更により光の反射方向および量を容易に調整（設計段階で制御）することができる。
【００４４】
また、第１実施形態では、上記のように、リアフレーム７を、前後方向から見て矩形状に形成するとともに、反射シート５の第１傾斜部５２および第２傾斜部５３が近傍に配置される下側縁部７１ａと、下側縁部７１ａに隣接する横側縁部７１ｂとを設け、反射シート５に、横側縁部７１ｂの近傍に配置される第３傾斜部５４を設け、第１傾斜部５２および第３傾斜部５４の境界線５４ｂと、第２傾斜部５３および第３傾斜部５４の境界線５４ａとのうち、長くなる一方の境界線上において第３傾斜部５４と第１傾斜部５２および第２傾斜部５３のうちの一方とが接続され、短くなる他方の境界線上において第３傾斜部５４と第１傾斜部５２および第２傾斜部５３のうちの他方とが接続されないように構成する。これにより、第１傾斜部５２および第２傾斜部５３のうちの第３傾斜部５４との境界線の長い方を第３傾斜部５４との境界線上で接続することができるので、より広い範囲（長い距離）で第３傾斜部５４と第１傾斜部５２および第２傾斜部５３のうちの一方とを接続することができる。その結果、反射シート５に撓みが生じるのを効果的に抑制することができる。
【００４５】
（第２実施形態）
次に、図１および図６を参照して、第２実施形態のテレビジョン装置２００（図１参照）について説明する。この第２実施形態では、反射シート５の第１傾斜部５２を平坦面状に形成した上記第１実施形態と異なり、反射シート２０５の第１傾斜部２５２を凸状の湾曲形状に形成した例について説明する。なお、上記第１実施形態と同様の構成は、第１実施形態と同じ符号を付して図示するとともに説明を省略する。また、テレビジョン装置２００は、本発明の「表示装置」の一例である。
【００４６】
図６に示すように、第２実施形態によるテレビジョン装置２００（図１参照）では、
反射シート２０５は、第１傾斜部２５２を含んでいる。この第１傾斜部２５２は、底部５１に対して所定の傾斜方向に傾斜している。また、第１傾斜部２５２は、前方（Ｙ１方向）に凸状で、かつ、傾斜方向に沿って湾曲する湾曲形状に形成されている。また、第１傾斜部２５２は、図６に示す傾斜方向における湾曲形状を維持しながら横方向（Ｘ方向）に延びるように形成されている。また、反射シート２０５は、凸状かつ湾曲形状の第１傾斜部２５２により、ＬＥＤ６１からの光を反射することによって、光を拡散させるように構成されている。
【００４７】
第２実施形態のその他の構成は、上記第１実施形態と同様である。
【００４８】
第２実施形態では、以下のような効果を得ることができる。
【００４９】
第２実施形態では、上記第１実施形態と同様に、反射シート２０５の第１傾斜部２５２と第２傾斜部５３とを、それぞれの傾斜方向と直交する方向に延びる折り目５５により接続することによって、液晶セル１１における輝度むらの発生をより抑制することができる。また、反射シート２０５を、ＬＥＤ６１側から立ち上がる第１傾斜部２５２の角度αが、ＬＥＤ６１側から立ち上がる第２傾斜部５３の角度βよりも大きくなるように構成することによって、液晶セル１１の縁部近傍における輝線の発生を抑制することできる。
【００５０】
また、第２実施形態では、上記のように、第２傾斜部５３を、平坦面状に形成され、第１傾斜部２５２は、前方に凸状で、かつ、第１傾斜部２５２の傾斜方向に沿って湾曲する湾曲形状に形成する。これにより、ＬＥＤ６１の近傍の第１傾斜面２５２が凸状かつ湾曲形状となるので、第１傾斜部２５２で反射した光を拡散させつつ、液晶セル１１の端部近傍には光を届き難くすることができる。これにより、液晶セル１１の輝度むらを抑制することができるとともに、液晶セル１１の縁部近傍における輝線の発生を抑制することができる。
【００５１】
（第３実施形態）
次に、図１および図７を参照して、第３実施形態のテレビジョン装置３００（図１参照）について説明する。この第３実施形態では、反射シート３０５の第１傾斜部３５２を前方（Ｙ１方向）に凸状の湾曲形状に形成した上記第２実施形態と異なり、反射シート３０５の第１傾斜部３５２を後方（Ｙ２方向）に凸状の湾曲形状に形成した例について説明する。なお、上記第２実施形態と同様の構成は、第２実施形態と同じ符号を付して図示するとともに説明を省略する。また、テレビジョン装置３００は、本発明の「表示装置」の一例である。
【００５２】
図７に示すように、第３実施形態によるテレビジョン装置３００（図１参照）では、
反射シート３０５は、第１傾斜部３５２を含んでいる。この第１傾斜部３５２は、底部５１に対して所定の傾斜方向に傾斜している。また、第１傾斜部３５２は、後方（Ｙ２方向）に凸状で、かつ、傾斜方向に沿って湾曲する湾曲形状に形成されている。また、第１傾斜部３５２は、図７に示す傾斜方向における湾曲形状を維持しながら横方向（Ｘ方向）に延びるように形成されている。また、反射シート３０５は、凸状かつ湾曲形状の第１傾斜部３５２により、ＬＥＤ６１からの光を反射することによって、光を光学シート１３の中央付近に集めるように構成されている。
【００５３】
第３実施形態のその他の構成は、上記第２実施形態と同様である。
【００５４】
第３実施形態では、以下のような効果を得ることができる。
【００５５】
第３実施形態では、上記第２実施形態と同様に、反射シート３０５の第１傾斜部３５２と第２傾斜部５３とを、それぞれの傾斜方向と直交する方向に延びる折り目５５により接続することによって、液晶セル１１における輝度むらの発生をより抑制することができる。また、反射シート３０５を、ＬＥＤ６１側から立ち上がる第１傾斜部３５２の角度αが、ＬＥＤ６１側から立ち上がる第２傾斜部５３の角度βよりも大きくなるように構成することによって、液晶セル１１の縁部近傍における輝線の発生を抑制することできる。
【００５６】
また、第３実施形態では、上記のように、第２傾斜部５３を、平坦面状に形成され、第１傾斜部３５２は、後方に凸状で、かつ、第１傾斜部３５２の傾斜方向に沿って湾曲する湾曲形状に形成する。これにより、ＬＥＤ６１の近傍の第１傾斜面３５２が凹状かつ湾曲形状となるので、第１傾斜部３５２で反射した光を拡散させつつ、液晶セル１１の端部近傍には光を届き難くすることができる。これにより、液晶セル１１の輝度むらを抑制することができるとともに、液晶セル１１の縁部近傍における輝線の発生を抑制することができる。
【００５７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５８】
たとえば、上記第１〜第３実施形態では、テレビジョン装置に本発明を適用した例を示したが、テレビジョン装置以外の表示装置に本発明を適用してもよい。
【００５９】
また、上記第１〜第３実施形態では、光源部の下方のみに、２つの第１傾斜部と第２傾斜部とを設けた例について示したが、本発明はこれに限られない。本発明では、少なくとも上下左右方向のいずれか１つの傾斜部が複数で形成されていればよい。たとえば、光源の下方および上方にそれぞれ第１傾斜部と第２傾斜部とを設けてもよい。
【００６０】
また、上記第１〜第３実施形態では、光源部の下方に第１傾斜部と第２傾斜部との２つの傾斜部を設けた例について示したが、本発明はこれに限られない。本発明では、光源部の下方に第１傾斜部と第２傾斜部とを含んだ３つ以上の傾斜部を設けてもよい。
【００６１】
また、上記第１〜第３実施形態では、第２傾斜面が平坦面状に形成された例について示したが、本発明はこれに限られない。本発明では、たとえば、第２傾斜面を湾曲形状に形成してもよい。
【００６２】
また、上記第１〜第３実施形態では、第１傾斜部の傾斜方向における大きさ（長さ）が第２傾斜部の傾斜方向における大きさ（長さ）よりも小さくなる例について示したが、本発明はこれに限られない。本発明では、第１傾斜部の傾斜方向における大きさが第２傾斜部の傾斜方向における大きさよりも大きくなってもよい。
【００６３】
また、上記第１〜第３実施形態では、折り目が光学シートよりも光源に近い側に配置される例について示したが、本発明はこれに限られない。本発明では、折り目が光源よりも光学シートに近い側に配置されてもよい。
【符号の説明】
【００６４】
５、２０５、３０５  反射シート
７  リアフレーム
１１  液晶セル
１３  光学シート
５２、２５２、３５２  第１傾斜部
５３  第２傾斜部
５４  第３傾斜部
５４ａ  境界線
５４ｂ  境界線
５５  折り目
６１  ＬＥＤ（光源）
７１ａ  下側縁部（第１縁部）
７１ｂ  横側縁部（第２縁部）
１００、２００、３００  テレビジョン装置（表示装置）
【図１】
2015191761.tif 000003
【図２】
2015191761.tif 000004
【図３】
2015191761.tif 000005
【図４】
2015191761.tif 000006
【図５】
2015191761.tif 000007
【図６】
2015191761.tif 000008
【図７】
2015191761.tif 000009